(57)【特許請求の範囲】
【請求項１】
複数種類のシートをそれぞれ収容する複数のトレイと、
画像形成の対象となる画像データに対応する画像が写真領域を含むか否かを判定する判定手段と、
前記判定手段の判定結果に基づいて、画像形成を行うシートの種類を決定するシート種類決定手段と、
前記シート種類決定手段に決定された複数のシートを収容する前記トレイを選択するトレイ選択手段と、
入力される画像データに基づいて、前記トレイ選択手段に選択された前記トレイから供給されるシートに画像を形成する画像形成手段と
を具備することを特徴とする画像形成装置。
【請求項２】
前記判定手段により写真領域を含むと判定された場合、前記シート種類決定手段は、複数の前記トレイにそれぞれ収容される複数種類のシートのなかで品質の高い種類のシートに決定することを特徴とする請求項１に記載の画像形成装置。
【請求項３】
前記判定手段は、画像形成の対象となる画像データに対応する画像が写真領域を含むと判定した場合には、前記画像データに対応する画像における写真領域の割合を求め、
前記判定手段により求められた写真領域の割合が所定の値より大きい場合、前記シート種類決定手段は、複数の前記トレイにそれぞれ収容される複数種類のシートのなかで品質の高い種類のシートに決定することを特徴とする請求項２に記載の画像形成装置。
【請求項４】
画像形成の対象となるページ毎の画像データに基づいて、前記シート種類決定手段により決定されたシート種類をページ毎に記憶する記憶手段と、
前記シート種類決定手段により決定されたページ毎のシート種類が前記記憶手段に記憶された後に、使用者から前記記憶手段に記憶されたシート種類と異なるシート種類が入力された場合、前記記憶手段に記憶されたシート種類を、入力されたシート種類に書き換える設定手段とをさらに具備し、
前記選択手段は、前記記憶手段に記憶されたページ毎のシート種類にしたがって、前記トレイを選択することを特徴とする請求項１ないし３のいずれかに記載の画像形成装置。
【請求項５】
使用者からの１回の画像形成指令により複数ページの画像データに対応した画像を形成する場合、前記シート種類選択手段は、所定の条件にしたがって複数ページの画像形成を行う１種類のシートを決定することを特徴とする請求項１ないし３のいずれかに記載の画像形成装置。
【発明の詳細な説明】
【０００１】
【発明の属する技術分野】
本発明は、プリンタ、複写機、ファクシミリ装置などの画像形成装置に関する。
【０００２】
【従来の技術】
近年、プリンタや複写機などの画像形成装置としては、白黒の画像のみでなく、カラー画像を出力する装置も普及しつつある。従来、このようなカラー画像を出力することが可能な画像形成装置を使用する場合、出力する画像の種別、例えば白黒原稿やカラー原稿などに関わらず、同一の記録用紙を使用して画像を出力していた。
【０００３】
しかし、記録用紙として普通紙を使用している画像形成装置では、文字のみの白黒画像を出力する場合には問題がないが、写真画像やカラー画像などを出力する場合、普通紙では忠実な色再現が行えない。一方、記録用紙としてカラー用の高品位用紙を使用している画像形成装置では、高画質が要求されない文字のみの白黒画像などを出力する場合にも、高品位用紙が使用されることになり、コスト的に問題がある。
【０００４】
このような問題を解決するため、特開平７−１８１７５６号公報には、使用者が操作部を介して画像を出力する場合に使用する記録用紙の種類をページ毎に指定し、指定された種類の記録用紙を供給する装置が開示されている。また、特開平８−１３２６８２号公報には、出力する画像がカラー画像であるかモノクロ画像であるかを認識し、使用する記録用紙を自動的に選択して給紙する装置が開示されている。
【０００５】
【発明が解決しようとする課題】
しかし、特開平７−１８１７５６号公報に開示されている装置では、使用者が各ページ毎に使用する記録用紙の種類を設定しなくてはならず、操作が煩雑である。また、使用者が誤った設定をしてしまうこともある。
【０００６】
また、特開平８−１３２６８２号公報に開示されている装置では、出力する画像がカラーであるかモノクロであるかで一意に記録用紙の種類が決定されてしまうため、例えばカラー原稿であっても、一部に赤を含むだけの２色画像や、ビジネス文書などで文字線画のみの特に高画質を要求しない画像を出力する場合にも、高価なカラー用の記録用紙が使用されてしまうことになる。
【０００７】
本発明は、上記の事情を考慮してなされたものであり、シートに画像を出力する場合に、出力する画像種別に適した種類のシートを自動的に選択して画像を出力することが可能な画像形成装置を提供することを目的とする。
【００１０】
上記課題を解決するため、本発明に係る画像形成装置は、複数種類のシートをそれぞれ収容する複数のトレイと、画像形成の対象となる画像データに対応する画像が写真領域を含むか否かを判定する判定手段と、前記判定手段の判定結果に基づいて、画像形成を行うシートの種類を決定するシート種類決定手段と、前記シート種類決定手段に決定された複数のシートを収容する前記トレイを選択するトレイ選択手段と、入力される画像データに基づいて、前記トレイ選択手段に選択された前記トレイから供給されるシートに画像を形成する画像形成手段とを具備することを特徴としている。
【００１１】
この画像形成装置では、判定手段が入力される画像データに対応する画像に写真領域が含まれるか否かを判定する。シート種類決定手段は判定手段の判定結果に基づいて、シートの種類を決定し、この種類のシートを収容するトレイが選択手段に選択される。そして、選択手段に選択されたトレイから供給されたシートに画像形成手段が画像を形成する。このように出力する画像に写真領域が含まれるか否かによってシートの種類を決定できるので、写真領域を含む場合は、高品位なシートを選択し、写真領域を含まない場合には、安価な普通シートを選択するといったことが可能となる。従って、この画像形成装置によれば、出力する画像に適したシートを自動的に選択することができる。
【００１２】
【発明の実施の形態】
以下、図面を参照して本発明の実施形態について説明する。
Ａ．第１実施形態
Ａ−１．画像形成装置
まず、図１は本発明の第１実施形態に係る画像形成装置の構成を示す。同図に示すように、この画像形成装置は、画像入力部１００と画像出力部（画像形成手段）１０１とを備えている。画像入力部１００は、自動原稿送り装置２を有している。自動原稿送り装置２は、複数の図示せぬ搬送ローラを備えており、原稿がセットされると、搬送ローラが駆動され、これによりセットされた原稿はプラテンガラス１上を搬送される。
【００１３】
プラテンガラス１の下方には、ランプ３が配設されている。ランプ３は上方に向けて光を発し、自動原稿送り装置２によりプラテンガラス１上を搬送される原稿を照射する。ミラー４，５は、原稿からの反射光をレンズ６に向けて反射させる。レンズ６は、ミラー５からの反射光を収束する。ラインセンサ７はＣＣＤ（固体撮像素子）を有しており、レンズ６に収束された反射光を受光し、Ｙ、Ｍ、Ｃ信号に分解した色信号からなる画像データを生成する。
【００１４】
画像出力部１０１は、画像書き込み装置１１と、感光体ドラム１３と、感光体ドラム１３の周囲に配置される帯電体１４、現像器１５、転写ドラム１６およびクリーナ１７を備えている。画像書き込み装置１１は、後述する画像処理装置８から供給される画像データに基づいて変調されたレーザ光を発振し、このレーザ光をポリゴンミラーにより走査方向に偏向する。画像書き込み装置１１からのレーザ光はミラー１２で反射し、感光体ドラム１３の表面を照射する。
【００１５】
感光体ドラム１３は図中矢印で示す方向に回転させられ、これに伴って、帯電体１４により感光体ドラム１３の表面が一様に帯電される。このように帯電された感光体ドラム１３に上述したミラー１２からのレーザ光が照射され、感光体ドラム１３の表面に潜像が書き込まれる。
【００１６】
現像器１５は、Ｙ（イエロー），Ｍ（マゼンタ），Ｃ（シアン），Ｋ（ブラック）のトナーが周方向に９０゜間隔で配置されており、感光体ドラム１３の表面にいずれか１色のトナーを供給する。このように現像器１５からトナーが供給されることにより、感光体ドラム１３にはトナー像が形成される。
【００１７】
感光体ドラム１３と転写ドラム１６との間には、後述する搬送機構により用紙が搬送されてくる。転写ドラム１６の発生する電界により感光体ドラム１３上のトナー像がシートに静電的に転写される。クリーナ１７はシートに転写せず感光体ドラム１３上に残留したトナー像を除去する。
【００１８】
この後、Ｃ，Ｍ，Ｙ，Ｋの各色のうち、残りの３色についても同様の動作が繰り返され、用紙にＣ，Ｍ，Ｙ，Ｋ各色のトナー像が転写されるようになっている。加熱定着装置１８は、互いにほぼ平行に配置された加熱ロール１８ａと、加圧ロール１８ｂを備えており、これらの間にトナー像が転写された用紙が通過させられることにより、トナー像が加熱・加圧され、用紙上に定着する。このようにして用紙上にカラー画像が形成される。
【００１９】
次に、この画像形成装置の用紙搬送機構について説明する。符号３０，３１，３２は、最初にシートを収容しておくトレイを示す。本実施形態に係る画像形成装置では、トレイ３０，３１には、普通用紙（多色のカラー画像の出力には適さない）が収容されており、トレイ３２には、高品位用紙（多色のカラー画像の出力に適している）が収容されている。
【００２０】
後述するトレイ選択部（トレイ選択手段）２０によりトレイ３０，３１，３２のいずれかが選択され、選択されたトレイから主搬送経路３３に向けて用紙が繰り出される。主搬送経路３３には、複数対の搬送ローラ３４が配設されており、搬送ローラ３４によりトレイ３０，３１，３２のいずれかから繰り出された用紙が感光体ドラム１３と転写ドラム１６との間のニップに向けて搬送される。
【００２１】
次に、画像処理装置８について説明する。図２に示すように、画像処理装置８は、画像処理部８ａと、色数認識部（色認識手段）９と、用紙種類決定部１０（シート種類決定手段）とから構成されている。画像処理部８ａは、ラインセンサ７から入力される画像データに種々の画像処理を施し、画像処理を施した後の画像データを画像書き込み装置１１に出力する。色数認識部９は、ラインセンサ７により生成された画像データに対応する画像、つまり原稿の画像に含まれる色数をカウントするものである。
【００２２】
用紙種類決定部１０は、使用者により操作部（色数設定手段、設定手段）２２を介して設定された色数、または予め設定された色数と、色数認識部９によりカウントされた色数とを比較し、この比較結果に基づいて用紙の種類を決定する。すなわち、用紙種類決定部１０は入力された画像データに対応する画像を出力すべき用紙の種類を決定する。
【００２３】
操作部２２は、テンキー、モード切替キー、コピー開始ボタン等を備えており、使用者はこれらのキースイッチを操作することにより、使用されるシートを決定する際に用いられる色数など各種の設定や、コピー動作開始を指示することができる。
【００２４】
トレイ選択部２０は、図１に示す主搬送経路３３に用紙を送り出すトレイを選択するものであり、上述した用紙種類決定部１０に決定された用紙の種類に基づいて、トレイ３０，３１，３２のいずれかかを選択する。用紙種類決定部１０により高品位用紙を供給するように決定された場合、トレイ選択部２０は、高品位用紙が収容されているトレイ３２を選択する。一方、用紙種類決定部１０により普通用紙を供給するように決定された場合、トレイ選択部２０は、普通用紙が収容されているトレイ３０，３１のいずれかを選択する。
【００２５】
Ａ−２．画像形成装置の動作
次に、この画像形成装置の動作について図３を用いて説明する。まず、使用者は、用紙種類決定の基準となる色数について予め設定された色数（例えば２色）でいいかを判断する（ステップＳａ１）。予め設定された色数以外の色数を設定する場合には、使用者は操作部２２を介して色数を設定する（ステップＳａ２）。
【００２６】
そして、使用者が自動原稿送り装置２に原稿をセットしてコピー開始を指示すると、コピー動作を開始する（ステップＳａ３）。コピー動作では、ラインセンサ７により原稿上の画像が読み取られ、画像データが生成される。ラインセンサ７により生成された画像データは、画像処理装置８において所定の画像処理が施され、画像書き込み装置１１に出力される。
【００２７】
また、ラインセンサ７からの画像データは、画像処理装置８の色数認識部９に入力される。色数認識部９は入力された画像データから、原稿の画像を認識し、この画像に含まれる色数をカウントする（ステップＳａ４）。色数認識部９により原稿の画像の色数がカウントされると、用紙種類決定部１０において、原稿の画像の色数と、設定された色数との比較が行われる（ステップＳａ５）。原稿の画像に含まれる色数が設定された色数より大きい場合（設定された色数が２色の場合は、３色以上）、用紙種類決定部１０により高品位用紙を使用することが決定される。用紙種類決定部１０により高品位用紙を使用することが決定された場合、トレイ選択部２０により高品位用紙の収容されたトレイ３２の図示せぬピックアップローラが駆動され、用紙が主搬送経路３３に繰り出される（ステップＳａ６）。
【００２８】
一方、原稿の画像に含まれる色数が設定された色数より小さい、または同じである場合、用紙種類決定部１０により普通用紙を使用することが決定される。用紙種類決定部１０により普通用紙を使用することが決定された場合、トレイ選択部２０により普通用紙の収容されたトレイ３０，３１のいずれかの図示せぬピックアップローラが駆動され、用紙が主搬送経路３３に繰り出される（ステップＳａ７）。
【００２９】
このようにして用紙種類決定部１０に決定された種類の用紙を収容するトレイから用紙が繰り出され、画像出力部１０１により用紙に画像が出力される（ステップＳａ８）。そして、ステップＳａ８で出力した画像が画像入力部１００に読み取られた原稿の最後のページに対応した画像であるかを判断する（ステップＳａ９）。出力した画像の原稿が最後のページでない場合、ステップＳａ４に戻る。つまり、複数の原稿が画像入力部１００に読み取られている場合、読み取られた全ての原稿についてステップＳａ４以下の動作を繰り返す。
【００３０】
本実施形態に係る画像形成装置では、原稿の画像に含まれる色数によって、画像を出力する際に使用する用紙の種類が自動的に選択される。従って、原稿の画像に含まれる色数が設定された色数（例えば２色）より多い、つまりカラー画像の出力を行う場合には、自動的に高品位用紙が選択され、出力される画像の画質の低下を抑制することができる。また、原稿が白黒の文字のみの場合には、安価な普通用紙が自動的に選択され、コストの増加を抑制することができる。すなわち、画像入力部１００に読み取られた画像データを出力するのに適した用紙に画像を出力することが可能である。
【００３１】
また、使用者は操作部２２を介して用紙種類決定部１０において比較の対象とされる色数を設定することが可能である。このため、例えば原稿がカラー画像であっても、モノクロ原稿の一部に赤と青を含むだけである場合など、出力する画像に高画質が要求されないときには、使用者が色数を設定（この場合３色）することにより、安価な普通用紙に画像が出力される。このように、操作部２２を介して色数を設定することにより、使用者の所望する種類の用紙を自動的に選択して画像を出力することが可能である。
【００３２】
Ｂ．第２実施形態
次に、本発明の第２実施形態に係る画像形成装置について図４を用いて説明する。同図に示すように、本実施形態に係る画像形成装置は、上記の第１実施形態における色数認識部９の代わりに写真領域判定部（判定手段）４０を備えた構成となっている。写真領域判定部４０は、ラインセンサ７から入力される画像データから、原稿の画像に写真領域が含まれる否かを判定するものである。具体的な判定方法としては、ラインセンサ７から入力される画像データを複数のブロックに分割し、各ブロック内における画素の濃度差を予め定められた参照値と比較し、参照値よりも濃度差が小さい場合に写真領域であると判定する方法など公知の判定方法が用いられる。
【００３３】
用紙種類決定部１０は、写真領域判定部４０による写真領域の有無の判定に基づいて、画像出力の際に使用する用紙の種類を決定する。
【００３４】
次に、第２実施形態に係る画像形成装置の動作について図５を用いて説明する。まず、使用者が自動原稿送り装置２に原稿をセットしてコピー開始を指示すると、コピー動作を開始する（ステップＳｂ１）。コピー動作では、ラインセンサ７により原稿上の画像が読み取られ、画像データが生成される。ラインセンサ７により生成された画像データは、画像処理装置８において所定の画像処理が施され、画像書き込み装置１１に出力される。
【００３５】
また、ラインセンサ７からの画像データは、画像処理装置８の写真領域判定部４０に入力される。写真領域判定部４０では、入力される画像データから原稿の画像を認識する（ステップＳｂ２）。ここで、原稿の画像が写真領域を含むか否かが判定され（ステップＳｂ３）、写真領域を含む場合、用紙種類決定部１０により高品位用紙を使用することが決定され、トレイ選択部２０により高品位用紙の収容されたトレイ３２のピックアップローラが駆動される（ステップＳｂ４）。
【００３６】
一方、原稿の画像に写真領域が含まれないと判断された場合、用紙種類決定部１０により普通用紙を使用することが決定され、トレイ選択部２０により普通用紙の収容されたトレイ３０，３１のいずれかのピックアップローラが駆動される（ステップＳｂ５）。
【００３７】
このようにして用紙種類決定部１０に決定された種類の用紙を収容するトレイから用紙が繰り出され、画像出力部１０１により用紙に画像が出力される（ステップＳｂ６）。そして、ステップＳｂ６で出力した画像が画像入力部１００に読み取られた原稿の最後のページに対応した画像であるかを判断する（ステップＳｂ７）。出力した画像の原稿が最後のページでない場合、ステップＳｂ２に戻る。つまり、複数の原稿が画像入力部１００に読み取られている場合、読み取られた全ての原稿についてステップＳｂ２以下の動作を繰り返す。
【００３８】
第２実施形態に係る画像形成装置では、画像入力部１００に読み取られる原稿の画像に写真領域が含まれるか否かによって、画像を出力する際に使用する用紙の種類が自動的に選択される。写真領域を含む原稿をより忠実に再現するためには、高品位の用紙に画像を出力することが必要となるが、この画像形成装置では、写真領域を含む原稿を読み取った場合、自動的に高品位の用紙に画像を出力することが可能となる。
【００３９】
なお、原稿の画像に写真領域が含まれると判定した場合に、写真領域判定部が原稿の画像面積中の写真領域の割合を求めるようにしてもよい。そして、用紙種類決定部１０は、写真領域判定部４０に求められた写真領域の割合が所定の割合、例えば３割以上であれば、高品位用紙を選択するようにしてもよい。また、この場合の所定の割合を使用者が操作部２２を介して設定できるようにしてもよい。
【００４０】
Ｃ．第３実施形態
次に、本発明の第３実施形態に係る画像形成装置について図６を用いて説明する。同図に示すように、本実施形態に係る画像形成装置は、上記第１実施形態に係る色数認識部９と、第２実施形態に係る画像形成装置における写真領域判定部４０とを備えた構成となっている。色数認識部９および写真領域判定部４０には、ラインセンサ７からの画像データがそれぞれ入力されるようになっている。また、色数認識部９にカウントされた色数は用紙種類決定部１０に入力され、写真領域判定部４０による判定結果が用紙種類決定部１０に入力されるようになっている。
【００４１】
次に、本実施形態に係る画像形成装置の動作について図７を用いて説明する。まず、使用者は、用紙種類決定の基準となる色数について予め設定された色数（例えば２色）でいいかを判断する（ステップＳｃ１）。予め設定された色数以外の色数を設定する場合には、使用者は操作部２２を介して色数を設定する（ステップＳｃ２）。
【００４２】
そして、使用者が自動原稿送り装置２に原稿をセットしてコピー開始を指示すると、コピー動作を開始する（ステップＳｃ３）。コピー動作では、ラインセンサ７により原稿上の画像が読み取られ、画像データが生成される。ラインセンサ７により生成された画像データは、画像処理装置８において所定の画像処理が施され、画像書き込み装置１１に出力される。
【００４３】
また、ラインセンサ７からの画像データは、画像処理装置８の色数認識部９および写真領域判定部４０に入力される。色数認識部９では、入力された画像データから原稿の画像を認識し、この画像に含まれる色数をカウントする。また、写真領域判定部４０では、入力される画像データから原稿の画像を認識し、写真領域が含まれるか否かを判定する（ステップＳｃ４）。ここで、色数認識部９にカウントされた色数が設定された色数より大きいか否か、および原稿の画像が写真領域を含むか否かが判定され（ステップＳｃ５）、原稿に含まれる色数が設定された色数より大きい、または原稿が写真領域を含むと判定された場合、用紙種類決定部１０により高品位用紙を使用することが決定され、トレイ選択部２０により高品位用紙の収容されたトレイ３２のピックアップローラが駆動される（ステップＳｃ６）。
【００４４】
一方、原稿に含まれる色数が設定された色数より小さい、または同じであり、かつ原稿の画像に写真領域が含まれないと判定された場合、用紙種類決定部１０により普通用紙を使用することが決定され、トレイ選択部２０により普通用紙の収容されたトレイ３０，３１のいずれかのピックアップローラが駆動される（ステップＳｃ７）。
【００４５】
このようにして用紙種類決定部１０に決定された種類の用紙を収容するトレイから用紙が繰り出され、画像出力部１０１により用紙に画像が出力される（ステップＳｃ８）。そして、ステップＳｃ８で出力した画像が画像入力部１００に読み取られた原稿の最後のページに対応した画像であるかを判断する（ステップＳｃ９）。出力した画像の原稿が最後のページでない場合、ステップＳｃ４に戻る。つまり、複数の原稿が画像入力部１００に読み取られている場合、読み取られた全ての原稿についてステップＳｃ４以下の動作を繰り返す。
【００４６】
第３実施形態に係る画像形成装置では、画像入力部１００に読み取られる原稿の画像に写真領域が含まれている場合、または原稿の画像に含まれる色数が設定された色数より大きい場合に高品位用紙が自動的に選択される。従って、写真領域や、多色のカラー画像を出力する場合のいずれにおいても、高品位用紙が使用され、出力する画像の画質の低下を抑制することが可能となる。一方、原稿に写真領域が含まれておらず、色数も設定された色数よりも小さい場合、つまり文字文書などの高画質が要求されない場合には、安価な普通用紙を使用し、コストの増加を抑制することができる。
【００４７】
なお、上述した動作のステップＳｃ５において、原稿の画像に含まれる色数が設定された色数より大きく、かつ原稿に写真領域が含まれる場合にのみ、用紙種類決定部１０が高品位用紙を使用することを決定するようにしてもよい。この場合、原稿が設定された色数以上のカラー写真領域を含む場合にのみ、高品位用紙が選択されることになる。また、使用者が操作部２２を介して用紙種類決定部１０による用紙種類決定のための条件（色数のみ、写真領域のみ、色数または写真領域、色数かつ写真領域）を設定できるようにしてもよい。
【００４８】
Ｄ．第４実施形態
次に、本発明の第４実施形態に係る画像形成装置について図８を用いて説明する。本実施形態に係る画像形成装置は、第１実施形態に係る画像形成装置に加えて、記憶装置（記憶手段）７０とディスプレイ装置７１とを備えた構成となっている。
【００４９】
記憶装置７０は、ラインセンサ７により生成された画像データを記憶するとともに、この画像データに基づいて用紙種類決定部１０に決定された用紙の種類データを記憶するものである。従って、画像入力部１００に複数ページの原稿が読み取られた場合には、記憶装置７０に各ページ毎の画像データと、それに対応する用紙種類データを順次記憶する。
【００５０】
図９に示すように、ディスプレイ装置７１には、画像入力部１００による複数ページの原稿の読み取りが終了した時点で、記憶装置７０に記憶された用紙種類データと、それに対応する原稿のページ番号を表示する。これにより、使用者は複数枚の原稿に対して、どの種類の用紙が選択されたかを知ることができる。なお、読みとった原稿の画像イメージと、その画像を形成するために用いられる用紙種類をディスプレイ装置７１に表示するようにしてもよい。
【００５１】
また、操作部２２には、用紙種類変更ボタンが設けられており、使用者は、記憶装置７０に記憶された用紙種類を各ページ毎に書き換えることができるようになっている。このような変更が行われた場合、ディスプレイ装置７１には、その変更内容が表示されるようになっている。
【００５２】
次に、第４実施形態に係る画像形成装置の動作について図１０および図１１を用いて説明する。まず、使用者は、用紙種類決定の基準となる色数について予め設定された色数（例えば２色）でいいかを判断する（ステップＳｄ１）。予め設定された色数以外の色数を設定する場合には、使用者は操作部２２を介して色数を設定する（ステップＳｄ２）。
【００５３】
そして、使用者が自動原稿送り装置２に原稿をセットしてコピー開始を指示すると、コピー動作を開始する（ステップＳｄ３）。コピー動作では、ラインセンサ７により原稿上の画像が読み取られ、画像データが生成される。ラインセンサ７により生成された画像データは、画像処理装置８において所定の画像処理が施され、記憶装置７０に記憶される。
【００５４】
また、ラインセンサ７からの画像データは、画像処理装置８の色数認識部９に入力される。色数認識部９は入力された画像データから、原稿の画像を認識し、この画像に含まれる色数をカウントする（ステップＳｄ４）。色数認識部９により原稿の画像の色数がカウントされると、用紙種類決定部１０において、原稿の画像の色数と、設定された色数との比較が行われる（ステップＳｄ５）。原稿の画像に含まれる色数が設定された色数より大きい場合（設定された色数が２色の場合は、３色以上）、用紙種類決定部１０により高品位用紙を使用することが決定される（ステップＳｄ６）。
【００５５】
一方、原稿の画像に含まれる色数が設定された色数より小さい、または同じである場合、用紙種類決定部１０により普通用紙を使用することが決定される（ステップＳｄ７）。このようにして、用紙種類決定部１０により決定された用紙種類が記憶装置７０に記憶される（ステップＳｄ８）。
【００５６】
そして、記憶装置７０に記憶された画像データおよび用紙種類の原稿が画像入力部１００に読み取られた原稿の最後のページに対応した画像であるかを判断する（ステップＳｄ９）。原稿が最後のページでない場合、ステップＳｄ４に戻る。つまり、複数の原稿が画像入力部１００に読み取られている場合、読み取られた全ての原稿についてステップＳｄ４からステップＳｄ８の動作を繰り返す。
【００５７】
このようにして、全ての原稿についての画像データおよび用紙種類の記憶装置７０への記憶が終了した後、ディスプレイ装置７１に原稿のページ番号と、その原稿に対応する用紙種類とが表示される。なお、原稿１ページについて記憶装置７０への画像データおよび用紙種類の記憶が終了した時点で、そのページについて原稿ページ番号と用紙種類を順次表示するようにしてもよい。
【００５８】
そして、操作部２２を介して使用者からディスプレイ装置７１に表示された用紙種類の変更指示があった場合（ステップＳｄ１０）、その変更指示に基づいて、記憶装置７０に記憶された用紙種類を書き換える（ステップＳｄ１１）。
【００５９】
この後、使用者からの出力動作開始の指示があると、記憶装置７０に記憶された用紙種類に基づいて、トレイ選択部２０が原稿の各ページに対応するトレイを選択し（ステップＳｄ１２）、原稿の各ページに対応する画像が、それぞれトレイ選択部２０により選択されたトレイから供給される用紙に出力される（ステップＳｄ１３）。
【００６０】
第４実施形態に係る画像形成装置では、用紙種類決定部１０により決定された用紙種類を使用者が変更することが可能である。例えば、複数枚の原稿をコピーするときに、その原稿のうちの何枚かが白黒の文字文書原稿であっても使用者は高品位用紙に出力をしたい場合もある。このような場合にも、この画像形成装置によれば、このような原稿に対応する用紙種類（用紙種類決定部１０では普通用紙に決定されている）の設定を高品位用紙に変更することが可能である。
【００６１】
Ｅ．変形例
なお、第４実施形態は、第１実施形態に係る画像形成装置に、記憶装置７０およびディスプレイ装置７１を加えた構成となっていたが、第２または第３実施形態に係る画像形成装置に記憶装置７０およびディスプレイ装置７１を加えた構成としてもよい。
【００６２】
また、上述の第１ないし第４実施形態においては、原稿を読み取ることにより、画像入力部１００に生成された画像データに応じた画像を出力する、つまり原稿を複写する画像形成装置（複写機）の場合について説明したが、本発明は、コンピュータ等により生成された画像データに応じた画像を出力する各種のプリンタなどに適用することも可能である。この場合、コンピュータ等に生成された画像データに基づいて、用紙を供給するトレイが選択される。
【００６３】
また、本発明は、通信網を介して入力される画像データに対応した画像を出力する、例えばファクシミリ装置などに適用することも可能である。この場合には、通信網を介して入力される画像データに基づいて、用紙を供給するトレイが選択される。
【００６４】
また、上述した第１ないし第４実施形態では、トレイ選択部２０は、トレイ３０，３１，３２のいずれかを選択するようにしていたが、手差しトレイを有する画像形成装置の場合、トレイ選択部２０が手差しトレイを選択することができるようにしてもよい。
【００６５】
また、上述した第１ないし第４実施形態において、１回のコピー指令に基づいて、複数ページの原稿の複写を行う場合には、用紙種類決定部１０が各ページ毎に使用する用紙の種類を決定せずに、所定の条件にしたがって１種類の用紙を決定して複数ページの画像を形成するようにしてもよい。この場合、１種類の用紙を決定する条件としては、最初に入力されたページの画像データにより決定される用紙種類を用いるようにしてもよいし、各ページ毎にシート種類を一旦決定し、複数ページの画像データになかの１ページでも高品位用紙に画像形成を行うと決定されたときには、高品位用紙を選択するようにしてもよい。このようにすれば、複数ページからなる文書等を複写する場合にも、ページ毎に異なった種類の用紙が使用されてしまうことがなく、使用される用紙が１種類に統一される。なお、使用者が１種類の用紙を決定するための条件を任意に設定できるようにしてもよい。
【００６６】
【発明の効果】
以上説明したように、本発明によれば、シートに画像を出力する場合に、出力する画像種別に適した種類のシートを自動的に選択して画像を出力することが可能となる。
【図面の簡単な説明】
【図１】  本発明の第１実施形態に係る画像形成装置の構成を示す図である。
【図２】  前記画像形成装置における画像処理装置の機能構成を示すブロック図である。
【図３】  前記画像形成装置によるコピー動作の処理手順を示すフローチャートである。
【図４】  本発明の第２実施形態に係る画像形成装置における画像処理装置の機能構成を示すブロック図である。
【図５】  第２実施形態に係る画像形成装置によるコピー動作の処理手順を示すフローチャートである。
【図６】  本発明の第３実施形態に係る画像形成装置における画像処理装置の機能構成を示すブロック図である
【図７】  第３実施形態に係る画像形成装置によるコピー動作の処理手順を示すフローチャートである。
【図８】  本発明の第４実施形態に係る画像形成装置における画像処理装置の機能構成を示すブロック図である。
【図９】  第４実施形態に係る画像形成装置の構成要素であるディスプレイ装置に表示される内容を説明するための図である。
【図１０】  第４実施形態に係る画像形成装置によるコピー動作の処理手順を示すフローチャートである。
【図１１】  第４実施形態に係る画像形成装置によるコピー動作の処理手順を示すフローチャートである。
【符号の説明】
８…画像処理装置、９…色数認識部（色認識手段）、１０…用紙種類決定部（シート種類決定手段）、２０…トレイ選択部（トレイ選択手段）、２２…操作部（設定手段）、３０，３１，３２…トレイ、４０…写真領域判定部（判定手段）、７０…記憶装置（記憶手段）、１０１…画像出力部（画像形成手段）
【図１】
0003648989.tif 000002
【図２】
0003648989.tif 000003
【図３】
0003648989.tif 000004
【図４】
0003648989.tif 000005
【図５】
0003648989.tif 000006
【図６】
0003648989.tif 000007
【図７】
0003648989.tif 000008
【図８】
0003648989.tif 000009
【図９】
0003648989.tif 000010
【図１０】
0003648989.tif 000011
【図１１】
0003648989.tif 000012